(57)【要約】      （修正有）【課題】取り扱いが容易であり、品質のバラツキの少ない固定式テントの骨組を提供する。【解決手段】固定式テントの骨組は、下部が地面Ｇに対して固定される縦骨格１０と、屋根を形成する屋根骨格２０と、縦骨格１０及び屋根骨格２０の一端に接続され、両骨格を折り畳み可能に回転支持する回転支持部４０と、このテントの骨組が組み立てられた状態で、屋根骨格２０を下側から支持し、屋根骨格２０が縦骨格１０に対して回転支持部４０の回転軸４３ａ回りに回転しないように規制する支柱５０とを備える。【選択図】図１
0003164303.tif 000002
【実用新案登録請求の範囲】
【請求項１】
下部が地面に対して固定される縦骨格と、
屋根を形成する屋根骨格と、
前記縦骨格及び前記屋根骨格を折り畳み可能に回転支持する回転支持部と、
このテントの骨組が組み立てられた状態で、前記屋根骨格を支持し、前記屋根骨格が前記縦骨格に対して前記回転支持部の回転軸回りに回転しないように規制する支柱と、
を備える固定式テントの骨組。
【請求項２】
請求項１に記載の固定式テントの骨組において、
前記回転支持部は、このテント骨組が組み立てられた状態で、このテント骨組の外形から突出しないように形成されていること、
を特徴とする固定式テントの骨組。
【請求項３】
請求項１又は請求項２に記載の固定式テントの骨組において、
前記回転支持部は、前記回転軸が、その軸方向から見たときに、前記縦骨格及び前記屋根骨格をほぼ平行に折り畳む位置に配置されていること、
を特徴とする固定式テントの骨組。
【請求項４】
請求項１から請求項３までのいずれか１項に記載の固定式テントの骨組において、
この固定式テントは、メンテナンス用の開閉部を有する精算機等の屋外設置用自動機械を保護するように設けられ、
一端側が前記縦骨格及び前記支柱の一方の部材に回転可能に支持され、前記一端側とは異なる他端側が前記縦骨格及び前記支柱の前記一方とは異なる他方の部材に着脱可能に設けられ、前記他端側が前記他方の部材に装着されることにより前記縦骨格及び前記支柱を連結し、前記他端側が取り外され回転されることにより前記屋外設置用自動機械の前記開閉部が開閉可能なスペースを設ける梁部を備えること、
を特徴とする固定式テントの骨組。
【考案の詳細な説明】
【技術分野】
【０００１】
本考案は、固定式テントの骨組に関するものである。
【背景技術】
【０００２】
従来、屋根等の骨格を有するテントがあった（例えば特許文献１）。
しかし、従来のこのようなテントの骨組は、取り扱いが困難で作業性がよくなかった。また、骨格の接合部分が多いために、作業者が異なる場合に、組み立てのバラツキが大きく、品質のバラツキが大きかった。
【先行技術文献】
【特許文献】
【０００３】
【特許文献１】特開平５−８８６３２号公報
【考案の概要】
【考案が解決しようとする課題】
【０００４】
本考案の課題は、取り扱いが容易であり、品質のバラツキの少ない固定式テントの骨組を提供することである。
【課題を解決するための手段】
【０００５】
本考案は、以下のような解決手段により、課題を解決する。なお、理解を容易にするために、本考案の実施形態に対応する符号を付して説明するが、これに限定されるものではない。また、符号を付して説明した構成は、適宜改良してもよく、また、少なくとも一部を他の構成物に代替してもよい。
【０００６】
第１の考案は、下部が地面に対して固定される縦骨格（１０）と、屋根を形成する屋根骨格（２０）と、前記縦骨格及び前記屋根骨格を折り畳み可能に回転支持する回転支持部（４０）と、このテントの骨組が組み立てられた状態で、前記屋根骨格を支持し、前記屋根骨格が前記縦骨格に対して前記回転支持部の回転軸（４３ａ）回りに回転しないように規制する支柱（５０）と、を備える固定式テントの骨組である。
第２の考案は、第１の考案の固定式テントの骨組において、前記回転支持部（４０）は、このテント骨組が組み立てられた状態で、このテント骨組の外形（４）から突出しないように形成されていること、を特徴とする固定式テントの骨組である。
第３の考案は、第１又は第２の考案の固定式テントの骨組において、前記回転支持部（４０）は、前記回転軸（４３ａ）が、その軸方向から見たときに、前記縦骨格（１０）及び前記屋根骨格（２０）をほぼ平行に折り畳む位置に配置されていること、を特徴とする固定式テントの骨組である。
第４の考案は、第１から第３までのいずれかの考案の固定式テントの骨組において、この固定式テントは、メンテナンス用の開閉部（２ａ）を有する精算機（２）等の屋外設置用自動機械を保護するように設けられ、一端側が前記縦骨格（１０）及び前記支柱（４０）の一方の部材に回転可能に支持され、前記一端側とは異なる他端側が前記縦骨格及び前記支柱の前記一方とは異なる他方の部材に着脱可能に設けられ、前記他端側が前記他方の部材に装着されることにより前記縦骨格及び前記支柱を連結し、前記他端側が取り外され回転されることにより前記屋外設置用自動機械の前記開閉部が開閉可能なスペースを設ける梁部（６０）を備えること、を特徴とする固定式テントの骨組である。
【考案の効果】
【０００７】
本考案によれば、以下の効果を奏することができる。
（１）本考案は、縦骨格及び屋根骨格を折り畳み可能に回転支持する回転支持部と、屋根骨格を支持する支柱とを備えるので、縦骨格及び屋根骨格の取り扱いがよく作業性を向上でき、また作業者が異なっても同じように組み立てできるので品質のバラツキを低減できる。
（２）本考案は、回転支持部が、テント骨組が組み立てられた状態で、突出しないように形成されているので、テント地の損傷を防止できる。
【０００８】
（３）本考案は、回転支持部の回転軸が、縦骨格及び屋根骨格をほぼ平行に折り畳む位置に配置されているので、小型に折り畳むことができる。
（４）本考案は、縦骨格及び支柱を連結する梁部を有するので、強度を向上できる。また、梁部を回転できるので、屋外設置用自動機械のメンテナンスの作業性がよい。
【図面の簡単な説明】
【０００９】
【図１】実施形態のテント１の三面図である。
【図２】実施形態の縦骨格１０及び屋根骨格２０の結合部を説明する図である。
【図３】実施形態の梁部６０と、縦骨格１０及び支柱５０との結合部を説明する図である。
【考案を実施するための形態】
【００１０】
（実施形態）
以下、図面等を参照して、本考案の実施形態について説明する。
図１は、実施形態のテント１の三面図である。
図１（ａ）は、側面から見た図、図１（ｂ）は、天面から見た図（図１（ａ）の矢視Ｂ図）、図１（ｃ）は、正面（手前側Ｙ１）から見た図である。
図２は、実施形態の縦骨格１０及び屋根骨格２０の結合部を説明する図である。
図２（ａ）は、図２（ｂ）のＡ−Ａ部矢視断面図である。
図２（ｂ）は、図１のII部拡大図である。
図３は、実施形態の梁部６０と、縦骨格１０及び支柱５０との結合部を説明する図である。
図３（ａ）は、側面（左側Ｘ１）から見た図、図３（ｂ）は、図３（ａ）のＢ−Ｂ部矢視断面図である。
なお、以下の説明及び図面において、図１に示すように、縦骨格１０及び支柱５０の長手方向が鉛直方向Ｚになるようにテント１を配置した状態において、水平面方向のうちユーザがテント１に対向する方向を奥行方向Ｙとし、水平面方向のうち奥行方向Ｙに直交する方向を左右方向Ｘとする。
【００１１】
図１に示すように、テント１は、駐車場の自動精算機２（屋外設置用自動機械）を保護するためのものである。テント１は、縦骨格１０の縦骨格角パイプ１１及び支柱５０の４本の柱部材の下端が地中に埋設された固定式テントである。
なお、テント１は、これらの柱部材を、地面Ｇに対して固定できる形態であればよく、下部が地中に埋設される形態に限られない。例えば、柱部材の下端にベースプレートを溶接し、このベースプレートを地面Ｇに対してアンカーボルトで固定する形態であってもよい。
また、テント１は、ほぼ左右対称の構成であるので、主に右側Ｘ２の構成について説明し、左側Ｘ１の構成については、適宜説明を省略する。
【００１２】
テント１は、縦骨格１０と、屋根骨格２０と、テント地３０と、回転支持部４０と、支柱５０と、梁部６０とを備える。
縦骨格１０は、テント１の奥壁を形成するための骨格である。縦骨格１０は、縦骨格角パイプ１１と、桟１２〜１４とを備える。
縦骨格角パイプ１１は、縦骨格１０の左側Ｘ１及び右側Ｘ２にそれぞれ配置された角パイプ材である。縦骨格１０は、中心軸の方向が鉛直方向Ｚを向くように配置される。縦骨格角パイプ１１の上端の開口は、プレート１１ａが溶接されて、蓋をされている（図２参照）。
桟１２〜１４は、縦骨格角パイプ１１を左右方向Ｘに接続する３本の円筒パイプ材である。桟１２〜１４は、その端部が縦骨格角パイプ１１に対して溶接により接合されており、縦骨格１０を補強している。
【００１３】
屋根骨格２０は、テント１の屋根を形成する骨格である。屋根骨格２０は、屋根骨格角パイプ２１と、桟２２〜２４とを備える。
屋根骨格角パイプ２１は、屋根骨格２０の左側Ｘ１及び右側Ｘ２にそれぞれ配置された角パイプ材である。屋根骨格角パイプ２１は、中心軸の方向が奥側Ｙ２に至る程下側に傾斜するように配置される。このため、屋根に設けられるテント地がこの方向に傾いて配置され、雨水が奥側Ｙ２に流れるようになっている。屋根骨格角パイプ２１の後端（奥側Ｙ２の端部）の開口は、プレート２１ａが溶接されて、蓋をされている（図２参照）。
【００１４】
桟２２〜２４は、屋根骨格角パイプ２１に対して溶接により接合されており、縦骨格１０を補強している。
桟２２，２３は、屋根骨格角パイプ２１を左右方向Ｘに接続する２本の円筒パイプ材である。
桟２４は、桟２２，２３の間に配置され、屋根骨格角パイプ２１を左右方向Ｘに接続するパイプ材である。桟２４は、照明装置等を装着しやすいように、角パイプ材により形成されている。
縦骨格１０、屋根骨格２０の桟の各本数は、各骨格の大きさや強度等に応じて、上記から増減してもよい。
【００１５】
テント地３０は、桟１２〜１４，２２〜２４を外側から覆うように配置されている。テント地３０は、縁部にロープ（図示せず）が設けられており、このロープが縦骨格角パイプ１１、屋根骨格角パイプ２１、桟１２〜１４，２２〜２４等に結びつけられることにより、テント１に装着される。
テント１は、精算機及び精算機を操作しているユーザが、降雨によって濡れないように、縦骨格１０、屋根骨格２０、テント地３０の大きさが設定されている。
【００１６】
図２に示すように、回転支持部４０は、縦骨格１０及び屋根骨格２０を折り畳み可能に回転支持するためのものである。
回転支持部４０は、縦骨格腕部４１と、屋根骨格腕部４２と、ボルト４３及びナット４４とを備える。
縦骨格腕部４１は、板状の部材であり、平面形状（左右方向Ｘから見た形状）が、腕状である。縦骨格腕部４１は、一端が縦骨格角パイプ１１のプレート１１ａに対して溶接によって固定されており、本体部４１ａの中心線４１ｂが、屋根骨格角パイプ２１の中心軸２１ｂとほぼ同軸である。
【００１７】
屋根骨格腕部４２は、板状の部材であり、平面形状（左右方向Ｘから見た形状）が、ほぼ長方形である。屋根骨格腕部４２は、一端が屋根骨格角パイプ２１のプレート２１ａに対して溶接によって固定されており、その中心線が、屋根骨格角パイプ２１の中心軸２１ｂとほぼ同軸である。
【００１８】
ボルト４３及びナット４４は、ワッシャ、スプリングワッシャ等を介して、縦骨格１０及び屋根骨格２０を接続するためのものである。
図２（ａ）に示すように、ボルト４３及びナット４４の中心軸（回転軸４３ａ）と、縦骨格腕部４１の手前側Ｙ１の側面との長さＬ４３は、屋根骨格角パイプ２１の太さＬ２１の半分Ｌ２１ａよりも、少し大きい程度である。このため、支柱５０等を設ける前の状態では、ボルト４３及びナット４４をゆるめると、縦骨格腕部４１及び屋根骨格腕部４２（縦骨格角パイプ１１及び屋根骨格角パイプ２１）は、ボルト４３及びナット４４の中心軸を回転軸４３ａとして回転する。そして、回転軸４３ａの軸方向から見た状態（図２（ａ）に示す状態）で、縦骨格１０及び屋根骨格２０は、ほぼ平行に折り畳むことができる（折り畳んだ屋根骨格角パイプ２１を２点鎖線で示す）。このように、テント１は、回転軸４３ａが、縦骨格１０又は屋根骨格２０がほぼ平行に折り畳む位置に配置されているので、小型に折り畳めることができるため、運搬等の取り扱いが便利である。
【００１９】
また、図２（ａ）に示すように、回転支持部４０は、縦骨格腕部４１及び屋根骨格腕部４２の幅Ｌ４１が、屋根骨格角パイプ２１の太さＬ２１よりも小さい。さらに、図２（ｂ）に示すように、縦骨格腕部４１及び屋根骨格腕部４２が、プレート１１ａ，２１ａのほぼ中心に配置されている。このため、回転支持部４０は、テント１の外形よりも内側に配置され、縦骨格腕部４１及び屋根骨格腕部４２等の外形（図２に外形線を２点鎖線４で示す）よりも突出することがない。これにより、テント１は、組み立てられた状態で、テント地３０やロープ等が回転支持部４０に接触することがなく、テント地３０やロープ等の損傷を防止できる。
【００２０】
図１に示すように、支柱５０は、このテント１の骨組が組み立てられた状態で、屋根骨格２０を支持し、屋根骨格２０が縦骨格１０に対して回転軸４３ａ回りに回転しないように規制するための部材である。支柱５０は、テント１の左側Ｘ１及び右側Ｘ２にそれぞれ設けられている。
図２に示すように、支柱５０の上端（上側Ｚ２の端部）には、ブラケット５１が溶接されている。
ブラケット５１は、支柱５０を屋根骨格角パイプ２１にねじ結合するための部材である。支柱５０は、ボルト５２が屋根骨格角パイプ２１の内部に設けられたナット５３に、ブラケット５１を介して結合することにより、屋根骨格角パイプ２１に結合する。
支柱５０は、屋根骨格２０のほぼ中央の位置に結合して、主に屋根骨格２０の下側Ｚ１に加わる負荷を受けて止めて、屋根骨格２０が回転軸４３ａ回りに回転しないように規制するようになっている。
【００２１】
例えば、従来の支柱を備えず縦骨格及び屋根骨格が一体で形成された片持ち方式のテントは、強度が低いために、風圧等が加わると、屋根骨格が揺動してしまう。これに対して、テント１は、支柱５０は、このように屋根骨格２０を回転規制することにより、風圧等が加わっても、このような揺動を抑制できる。
【００２２】
図３に示すように、梁部６０は、縦骨格角パイプ１１及び支柱５０を接続して、テント１の強度を向上するための部材である。梁部６０は、テント１の左側Ｘ１及び右側Ｘ２にそれぞれ設けられている。梁部６０は、細長い板状の部材であり、長手方向が奥行方向Ｙになるように配置される。
梁部６０は、丸孔６１及び切り欠き６２を有する。
丸孔６１は、奥側Ｙ２（一端側）に設けられている。梁部６０は、ボルト６３の軸部を丸孔６１に挿通させて縦骨格角パイプ１１にねじ結合される。
切り欠き６２は、手前側Ｙ１（一端側とは異なる他端側）に設けられている。切り欠き６２は、下側Ｚ１が開口するように形成されている。梁部６０は、ボルト６４の軸部を切り欠き６２に挿通させて縦骨格角パイプ１１にねじ結合される。
【００２３】
上記構成により、梁部６０は、縦骨格１０側に回転可能に支持され、支柱５０側に着脱可能に設けられる。梁部６０は、支柱５０側が装着されることにより縦骨格１０及び支柱５０を連結して、テント１の強度を向上する。一方、梁部６０は、ボルト６３，６４をゆるめて、上側Ｚ２に負荷が加わると、ボルト６３の中心軸を回転軸として、上側Ｚ２に簡単に回転する。これにより、テント１は、梁部６０を回転して自動精算機２の開閉部２ａ（図１参照）が開閉可能なスペースを設けることができ、自動精算機２のメンテナンスの作業性を向上できる。
【００２４】
なお、テント１は、左側Ｘ１及び右側Ｘ２の２つの梁部６０を、回転可能な構造にしなくてもよい。自動精算機２の開閉部２ａの位置に応じて、左側Ｘ１及び右側Ｘ２のうち一方のみを、回転可能なものにしてもよい。
また、梁部６０は、丸孔６１を手前側Ｙ１に設け、切り欠き６２を奥側Ｙ２に設け、支柱５０側のボルト６４を中心に回転するようにしてもよい。
【００２５】
次に、テント１の組み立て方法について説明する。
なお、テント１は、設置場所へ、縦骨格１０及び屋根骨格２０が回転支持部４０によって接続され、かつ、回転支持部４０によって折り畳まれた状態で運搬される。一方、テント地３０と、支柱５０と、梁部６０とは、縦骨格１０及び屋根骨格２０に対して、接続されない状態で運搬されるが、必要に応じて、例えば、テント地３０をロープで各骨格にゆるく結び付ける等しておいてもよい。
【００２６】
そして、運搬されたテント１を、作業者は、以下の手順に従って、組み立てることができる。
（１）縦骨格１０及び屋根骨格２０を、回転支持部４０の回転軸４３ａ回りに回転させて開く（図２参照）。縦骨格１０及び屋根骨格２０は、ボルト４３及びナット４４で予め結合されているので、縦骨格１０及び屋根骨格２０を接続する手間がかからず、作業性がよい。
（２）支柱５０を屋根骨格角パイプ２１にねじ結合する（図２参照）。
（３）梁部６０を、支柱５０及び縦骨格角パイプ１１にねじ結合する（図３参照）。
（４）ボルト４３及びナット４４を締め付け、縦骨格１０及び屋根骨格２０の回転止めをする（図２参照）。
【００２７】
上記（１）〜（４）の工程によって、テント１の骨組が完成する。
これまでの工程において、縦骨格１０及び屋根骨格２０は、２組のボルト４３及びナット４４のみを締め付ければよいので、取り扱いがよいため作業性がよい。また縦骨格１０及び屋根骨格２０は、左側Ｘ１及び右側Ｘ２に配置された２組のボルト４３及びナット４４で接続されるので、ねじれ（図２に示す回転方向θ参照）が少ないので、作業者が異なっても、バラツキが少なく、均一の品質に組み立てできる。さらに、縦骨格１０及び屋根骨格２０は、桟１２〜１４，２２〜２４が予め溶接されているので、この点でも、作業者が異なってもバラツキが少なく、より一層均一に組み立てできる。
【００２８】
（５）テント地３０を各骨格に結び付ける。
（６）縦骨格角パイプ１１、支柱５０を、予め地面Ｇに設けた穴に埋設する。
これにより、縦骨格角パイプ１１、支柱５０が地面Ｇに固定されて、テント１が完成する。
【００２９】
以上説明したように、テント１は、縦骨格１０及び屋根骨格２０を小型に折り畳むことができるので、取り扱いがよく、また作業者が異なっても品質のバラツキを低減できる。
【００３０】
以上、本考案の実施形態について説明したが、本考案は前述した実施形態に限定されるものではなく、後述する変形形態のように種々の変形や変更が可能であって、それらも本考案の技術的範囲内である。また、実施形態に記載した効果は、本考案から生じる最も好適な効果を列挙したに過ぎず、本考案による効果は、実施形態に記載したものに限定されない。なお、前述した実施形態及び後述する変形形態は、適宜組み合わせて用いることもできるが、詳細な説明は省略する。
【００３１】
（変形形態）
（１）本実施形態において、テントは、駐車場に設置された自動精算機に利用される例を示したが、これに限定されない。例えば、メンテナンス用の開閉部を有するものであれば、自動販売機等その他の屋外設置用自動機械を保護するものであってもよい。
【００３２】
（２）本実施形態において、縦骨格及び屋根骨格は、桟が溶接により接合されている例を示したが、これに限定されない。例えば、所望の強度を得られれば、縦骨格等及び桟をねじ結合してもよい。この場合、溶接工程が不要になるので、コストを削減できる。
【００３３】
（３）本実施形態において、回転支持部は、ボルト及びナットによって、縦骨格及び屋根骨格を回転支持する例を示したが、これに限定されない。例えば、回転支持部は、単に軸部材によって、縦骨格及び屋根骨格を回転可能の軸支する構成であってもよい。この場合であっても、屋根骨格が支柱によって縦骨格に対して回転規制されるので、テントの強度を向上できる。
【符号の説明】
【００３４】
１…テント    ２…自動精算機    １０…縦骨格    １１…縦骨格角パイプ    ２０…屋根骨格    ２１…屋根骨格角パイプ    ３０…テント地    ４０…回転支持部    ４１…縦骨格腕部    ４２…屋根骨格腕部    ４３…ボルト    ４４…ナット    ４３ａ…回転軸    ５０…支柱    ６０…梁部
【図１】
0003164303.tif 000003
【図２】
0003164303.tif 000004
【図３】
0003164303.tif 000005
【手続補正書】
【提出日】平成22年9月15日(2010.9.15)
【手続補正１】
【補正対象書類名】実用新案登録請求の範囲
【補正対象項目名】全文
【補正方法】変更
【補正の内容】
【実用新案登録請求の範囲】
【請求項１】
下部が地面に対して固定される縦骨格と、
屋根を形成する屋根骨格と、
前記縦骨格の一端及び前記屋根骨格の一端を接続するように設けられ、前記縦骨格及び前記屋根骨格を折り畳み可能に回転支持する回転支持部と、
このテントの骨組が組み立てられた状態で、前記屋根骨格を下側から支持することにより、前記屋根骨格が前記縦骨格に対して前記回転支持部の回転軸回りに回転しないように規制する支柱と、
を備える固定式テントの骨組。
【請求項２】
請求項１に記載の固定式テントの骨組において、
前記回転支持部は、このテント骨組が組み立てられた状態で、このテント骨組の外形から突出しないように形成されていること、
を特徴とする固定式テントの骨組。
【請求項３】
請求項１又は請求項２に記載の固定式テントの骨組において、
前記回転支持部は、前記回転軸が、その軸方向から見たときに、前記縦骨格及び前記屋根骨格をほぼ平行に折り畳む位置に配置されていること、
を特徴とする固定式テントの骨組。
【請求項４】
請求項１から請求項３までのいずれか１項に記載の固定式テントの骨組において、
この固定式テントは、メンテナンス用の開閉部を有する精算機等の屋外設置用自動機械を保護するように設けられ、
一端側が前記縦骨格及び前記支柱の一方の部材に回転可能に支持され、前記一端側とは異なる他端側が前記縦骨格及び前記支柱の前記一方とは異なる他方の部材に着脱可能に設けられ、前記他端側が前記他方の部材に装着されることにより前記縦骨格及び前記支柱を連結し、前記他端側が取り外され回転されることにより前記屋外設置用自動機械の前記開閉部が開閉可能なスペースを設ける梁部を備えること、
を特徴とする固定式テントの骨組。